(57)【要約】【課題】昇降機の異常発生時に状況に応じた最適な画面を自動的に表示する昇降機監視装置を提供する。【解決手段】昇降機監視装置５０は、昇降機と昇降機制御システムとの異常発生を監視して異常状態を示す異常状態情報を出力するシステム状態管理部５１と、異常状態情報の内容により表示が決まる画面の候補である複数の候補画面の画面データを候補画面ごとに記憶した画面データ記憶部５２と、異常状態情報の内容と、表示されるべき画面との対応が指定されたシステムパラメータを持つシステムパラメータ記憶部５３と、異常状態情報を入力し、異常状態情報とシステムパラメータとに基づいて、画面データ記憶部５２の複数の候補画面の画面データから表示すべき画面データを選択画面データとして選択し、選択画面データを画面データ記憶部５２から取り出す画面作成部５４と、取り出された選択画面データを画面表示装置４０に表示させる画面表示部５５とを備えた。【選択図】図２
2009274795.tif 000002
【特許請求の範囲】
【請求項１】
昇降機と前記昇降機を制御するシステムとの異常発生の有無を監視し、異常発生を検知すると異常の状態を示す異常状態情報を出力する監視部と、
前記異常状態情報の内容によって表示されることが決まる画面の候補である複数の候補画面の画面データを前記候補画面ごとに記憶している画面データ記憶部と、
前記異常状態情報の内容と、表示されるべき前記画面との対応が指定された表示画面指定情報を記憶した表示画面指定情報記憶部と、
前記監視部の出力した前記異常状態情報を入力し、前記異常状態情報と前記表示画面指定情報とに基づいて、前記画面データ記憶部の記憶している複数の候補画面の前記画面データのなかから表示するべき画面の前記画面データを選択画面データとして選択し、選択された前記選択画面データを前記画面データ記憶部から取り出す画面データ取出部と、
前記画面データ取出部により取り出された前記選択画面データの画面を表示装置に表示させる画面表示部と
を備えた昇降機監視装置。
【請求項２】
前記表示画面指定情報記憶部は、
複数の前記画面データが前記選択画面データとして選択された場合における前記選択画面データの表示規則が定義された処理定義を記憶しており、
前記画面データ取出部は、
複数の画面データを前記選択画面データとして選択した場合には、前記処理定義に従って、前記画面データ記憶部から前記画面データを取り出すことを特徴とする請求項１記載の昇降機監視装置。
【請求項３】
前記表示画面指定情報記憶部に記憶された前記処理定義は、
複数の前記選択画面データの各画面をマルチ画面として表示することが定義されており、
前記画面データ取出部は、
前記処理定義に従って、複数の前記選択画面データを前記画面データ記憶部から取出し、取り出された複数の前記選択画面データからマルチ画面を構成し、
前記画面表示部は、
前記画面データ取出部により構成されたマルチ画面を前記表示装置に表示させることを特徴とする請求項２記載の昇降機監視装置。
【請求項４】
前記画面データ記憶部は、
異常発生一覧図の画面の画面データを記憶しており、
前記画面データ取出部は、
前記異常発生一覧図の画面の画面データを前記画面データ記憶部から取り出し、
前記画面表示部は、
前記選択画面データの画面を前記表示装置に表示するとともに、前記画面データ取出部により取り出された前記前記異常発生一覧図の画面データの画面を前記選択画面データの画面の上に重ねて表示することを特徴とする請求項１〜３のいずれかに記載の昇降機監視装置。
【発明の詳細な説明】
【技術分野】
【０００１】
この発明は、エレベータや乗客コンベア（エスカレータ）などの昇降機及び昇降機システムを監視する昇降機監視装置に関する。
【背景技術】
【０００２】
従来は、画面の固定箇所に異常を知らせる領域があり、そこに監視状態を表示すると共に、ランプ表示やブザー鳴動によって、エレベータの異常の発生を知らせていた。しかしながら、異常発生時に直感で分かり難い上に、発生場所や異常の種類を知るまでには、幾つかの画面操作を行う必要があり、手間が掛かっていた。また、詳細を閲覧する際に、どこを見てよいか戸惑う可能性があった。
【０００３】
また従来の技術（例えば特許文献１）では、複数のエレベータの全体表示画面と、複数のエリアに分割した分割画面とを切り替えて表示していた。しかし、異常が発生した場合には、異常の発生を確認する画面を監視員が手動で切り替えて確認する必要があり、複数の画面を手動で切り替えする手間が発生していた。
【特許文献１】特開平８−２３１１４９号公報
【発明の開示】
【発明が解決しようとする課題】
【０００４】
この発明は、昇降機の異常発生時に、その状況に応じた最適な画面を自動的に表示して画面操作の手間を省くとともに、異常の発生場所や異常内容などを直感的に判り易い画面を表示する昇降機監視装置の提供を目的とする。
【課題を解決するための手段】
【０００５】
この発明の昇降機監視装置は、
昇降機と前記昇降機を制御するシステムとの異常発生の有無を監視し、異常発生を検知すると異常の状態を示す異常状態情報を出力する監視部と、
前記異常状態情報の内容によって表示されることが決まる画面の候補である複数の候補画面の画面データを前記候補画面ごとに記憶している画面データ記憶部と、
前記異常状態情報の内容と、表示されるべき前記画面との対応が指定された表示画面指定情報を記憶した表示画面指定情報記憶部と、
前記監視部の出力した前記異常状態情報を入力し、前記異常状態情報と前記表示画面指定情報とに基づいて、前記画面データ記憶部の記憶している複数の候補画面の前記画面データのなかから表示するべき画面の前記画面データを選択画面データとして選択し、選択された前記選択画面データを前記画面データ記憶部から取り出す画面データ取出部と、
前記画面データ取出部により取り出された前記選択画面データの画面を表示装置に表示させる画面表示部と
を備えた。
【発明の効果】
【０００６】
この発明により、昇降機の異常発生時に、その状況に応じた最適な画面を自動的に表示して画面操作の手間を省くとともに、異常の発生場所や異常内容などを直感的に判り易い画面を表示する昇降機監視装置を提供できる。
【発明を実施するための最良の形態】
【０００７】
実施の形態１．
図１〜図７参照して実施の形態１を説明する。
【０００８】
（ハードウェア構成）
図１は、実施の形態１における昇降機監視装置５０のハードウェア資源の一例を示す図である。昇降機監視装置５０は、図１に示すようなハードウェア資源を有するコンピュータである。
【０００９】
図１において、昇降機監視装置５０は、プログラムを実行するＣＰＵ８１０（Ｃｅｎｔｒａｌ  Ｐｒｏｃｅｓｓｉｎｇ  Ｕｎｉｔ）を備えている。ＣＰＵ８１０は、バス８２５を介してＲＯＭ（Ｒｅａｄ  Ｏｎｌｙ  Ｍｅｍｏｒｙ）８１１、ＲＡＭ（Ｒａｎｄｏｍ  Ａｃｃｅｓｓ  Ｍｅｍｏｒｙ）８１２、操作キー８１４、通信ボード８１６、磁気ディスク装置８２０と接続され、これらのハードウェアデバイスを制御する。磁気ディスク装置８２０の代わりに、フラッシュメモリなどの記憶装置でもよい。
【００１０】
ＲＡＭ８１２は、揮発性メモリの一例である。ＲＯＭ８１１、磁気ディスク装置８２０等の記憶媒体は、不揮発性メモリの一例である。これらは、記憶装置あるいは記憶部、格納部の一例である。通信ボード８１６、操作キー８１４などは、入力部、入力装置の一例である。また、通信ボード８１６は、出力部、出力装置の一例である。
【００１１】
通信ボード８１６は、ネットワークに接続されており、後述するデータ変換装置３０から情報を取得する。
【００１２】
磁気ディスク装置８２０には、オペレーティングシステム８２１（ＯＳ）、プログラム群８２３、ファイル群８２４が記憶されている。プログラム群８２３のプログラムは、ＣＰＵ８１０、オペレーティングシステム８２１により実行される。
【００１３】
上記プログラム群８２３には、以下に述べる実施の形態の説明において「〜部」として説明する機能を実行するプログラムが記憶されている。プログラムは、ＣＰＵ８１０により読み出され実行される。
【００１４】
ファイル群８２４には、以下に述べる実施の形態の説明において、「画面データ」として説明する情報や、「システムパラメータ」、「処理定義」等として説明する情報や、「〜の判定結果」、「〜の算出結果」、「〜の抽出結果」、「〜の生成結果」、「〜の処理結果」として説明する情報や、データや信号値や変数値やパラメータなどが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ８１０によりメインメモリやキャッシュメモリに読み出され、抽出・検索・参照・比較・演算・計算・処理・出力・表示などのＣＰＵの動作に用いられる。抽出・検索・参照・比較・演算・計算・処理・出力・表示のＣＰＵの動作の間、情報やデータや信号値や変数値やパラメータは、メインメモリやキャッシュメモリやバッファメモリに一時的に記憶される。
【００１５】
また、以下に述べる実施の形態の説明において、「〜部」、として説明するものは、「〜手段」、「〜装置」、「〜回路」、「〜機器」であってもよく、また、「〜ステップ」、「〜手順」、「〜処理」であってもよい。すなわち、「〜部」として説明するものは、ＲＯＭ８１１に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。プログラムはＣＰＵ８１０により読み出され、ＣＰＵ８１０により実行される。すなわち、プログラムは、以下に述べる「〜部」としてコンピュータを機能させるものである。
【００１６】
図２は、実施の形態１における監視システムのブロック構成図である。昇降機監視装置５０はデータ変換装置３０及び画面表示装置４０と接続している。
（１）昇降機１０は、エレベータあるいは乗客コンベア等の昇降機である。
（２）昇降機制御装置２０は、昇降機１０を制御すると共に、昇降機１０の状態を昇降機監視装置５０に送信する。
（３）データ変換装置３０は、昇降機制御装置２０からのデータを昇降機監視装置５０が判断できるデータに変換する。
（４）画面表示装置４０は、画面表示部５５の出力により昇降機１０の状態などを表示する。
【００１７】
（昇降機監視装置５０）
昇降機監視装置５０は、昇降機１０の状態を管理（監視）して、画面表示装置４０にデータを送信したり、昇降機１０を制御するデータを管理制御する。
（１）システム状態管理部５１（監視部）は、昇降機１０の状態や周辺機器との通信状態を管理する。システム状態管理部５１は、データ変換装置３０からデータを入力する。
（２）画面データ記憶部５２は、各種の画面データを記憶している。すなわち、画面データ記憶部５２は、システム状態管理部５１から出力される異常状態情報の内容によって表示されることが決まる画面の候補である複数の候補画面の画面データを候補画面ごとに記憶している。例えば次の（ａ）〜（ｃ）のような昇降機１０の状態を表示する各種画面データを記憶している。
（ａ）各接続機器の接続関係を表示するシステム構成図、
（ｂ）昇降機１０を平面図上にレイアウトして、各昇降機１０の位置を知る事が出来る昇降機配置図、
（ｃ）昇降機１０の現在いる階床などを横から見たイメージでつかむ事が出来る昇降機断面図、
（ｄ）異常信号などの詳細の信号を見る事が出来る信号詳細図、
（ｅ）異常データの一覧を見る事が出来る異常発生一覧図
（３）システムパラメータ記憶部５３（表示画面指定情報記憶部）は、図３で後述するが、異常発生の機器１１、異常の発生箇所１２、種類１３と、それぞれの伏況に対して最初に表示すべき画面の種類を定義している。なお、この定義は、適宜変更が可能となっている。また、異常が複数発生した場合の表示画面の種類の「処理定義」も格納している。
（４）画面作成部５４（画面データ取出部）は、昇降機１０の状態や周辺機器との通信状態をシステム状態管理部５１から取得し、異常発生の機器１１、発生箇所１２、種類１３を判別し、発生した異常の状態に合わせてシステムパラメータ記憶部５３から必要な画面が何かを判断し、画面データ記憶部から、異常発生時に最初に表示すべき最適な画面の画面データを取り出す。
（５）画面表示部５５は、画面作成部５４が取出した画面データを、画面表示装置４０に出力する。
【００１８】
（システムパラメータ）
図３は、システムパラメータ記憶部５３に格納されているシステムパラメータ（表示画面指定情報）の一例である。システムパラメータには、異常の発生機器１１、異常の発生箇所１２、異常の種類１３とともに、どの画面を表示するかが指定されている。例えば、「ＮＯ１」のレコードでは発生機器１１はシステム、発生箇所１２はＳＶ−ＧＣ間、種類１３は通信異常であり、発生箇所１１〜種類１３がこのような場合には、表示すべき画面としてシステム構成図Ａが指定されている。図３の発生箇所１２において、ＳＶ（ＳｅｒＶｅｒ）とあるのは、昇降機監視装置５０を意味する。ＧＣ（Ｇｒｏｕｐ  Ｃｏｎｔｒｏｌ）とあるのは群管理制御装置を意味し、図２では、昇降機制御装置２０が群管理制御装置に相当する。また、図２では昇降機制御装置２０は各台管理制御装置（Ｃａｒ  Ｃｏｎｔｒｏｌ）の機能も有する。なおこれは一例として昇降機制御装置２０が群管理装置と各台管理制御装置との機能を有する場合を示している。ＣＣ（Ｃａｒ  Ｃｏｎｔｒｏｌ）とあるのは各台管理制御装置の機能も有する昇降機制御装置２０が相当する。またＥＶ１〜ＥＶ３とあるのは「エレベータ１〜エレベータ３」を示している。なお、異常の種類によっては、複数の画面を同時に表示した方が分かりやすい場合もあるため、「ＮＯ４」のレコードのように、複数の画面の表示が指定されており、複数の画面を定義可能である。
【００１９】
（処理定義）
図４はシステムパラメータ記憶部５３に格納されている「処理定義」の例を示す図である。処理定義については、次の動作説明の中で述べる。
【００２０】
（動作）
図５は、画面作成部５４の基本動作を示すフローチャートである。
（１）まず、ステップ１００で、画面作成部５４は、システム状態管理部５１から、昇降機１０や周辺機器の異常を示す異常状態情報を取得する。異常状態情報は、図３で説明した異常の発生機器１１、異常の発生箇所１２、異常の種類１３の情報を含んでいる。
（２）ステップ１０１では、画面作成部５４は、ステップ１００で取得した異常状態情報に含まれる発生機器１１、発生箇所１２、種類１３を特定する。
（３）ステップ１０２では、画面作成部５４は、ステップ１０１で特定したデータをもとに、システムパラメータ記憶部５３に格納しているシステムパラメータから対応する「Ｎｏ．」と画面の種類（選択画面データ）を特定する。すなわち、画面作成部５４は、異常状態情報から特定した発生機器１１〜種類１３により、システムパラメータを参照して特定した発生機器１１〜種類１３から決まる「レコードＮｏ．」と表示するべき画面の画面データである選択画面データを選択する。異常状態情報の内容によっては、図３において複数のレコードが特定される場合がある。
（４）ステップ１０３では、画面作成部５４は、ステップ１０２で特定された情報を元に、異常が複数発生しているかどうかを判別する。すなわち画面作成部５４は、複数のレコードが特定されたかどうかを判定する。複数発生している場合には、ステップ１０４に遷移する。
（５）ステップ１０４では、画面作成部５４は、どのような異常が複数発生しているのかを特定する。つまり、画面作成部５４は、異常について、発生機器１１が複数なのか、発生箇所１２が複数なのか、異常の種類１３が複数なのかを、特定された「レコードＮｏ．」から識別する。そして、画面作成部５４は、異常が複数発生した時の「処理定義」（図４）から、どの画面を表示するのかを特定する。なお、「処理定義」は、事前に、あるいは、保守などの時期に、自由に定義が可能である。そのため、実運用後、必要に応じて表示したい画面を変更可能である。図４に示すように、処理定義には、複数の画面データが図３のシステムパラメータに基づき選択画面データとして選択された場合における選択画面データの表示規則が定義されている。すなわち、図４に示すように、処理定義には、マルチ画面表示するかどうかの設定や、マルチ画面表示する場合には複数の選択画面データの各画面をマルチ画面として表示することが定義されている。
（６）ステップ１０５では、ステップ１０４で特定した画面がマルチ画面表示かどうかを判定する。マルチ画面表示を行う場合には、ステップ１０６に遷移する。
（７）ステップ１０６では、マルチ画面表示の混合の画面の種類の特定を行い、ステップ１０８に遷移する。なお、マルチ画面表示は、一度に確認するという意図があるため、１画面に複数の画面を並列に表示することを前提としているが、タグ（表示選択ボタン）のような表示方法でも構わない。
（８）シングル画面表示を行う場合には、ステップ１０７に遷移し、画面作成部５４は、シングル画面表示の場合の画面の種類の特定を行い、ステップ１０８に遷移する。
（９）ステップ１０８では、画面作成部５４は、画面データ記憶部５２から対応する画面データを取得する。ステップ１０６→ステップ１０８の場合、画面作成部５４は、複数の画面データを選択画面データとして選択した場合、処理定義に従って、画面データ記憶部５２から画面データを取り出す。すなわち画面作成部５４は、処理定義に従って、複数の選択画面データを画面データ記憶部５２から取出し、取り出された複数の選択画面データからマルチ画面を構成する。
（１０）ステップ１０９では、画面作成部５４は、ステップ１０８で取得した画面を画面表示部５５に送信する。
【００２１】
画面表示部５５は画面作成部５４から送信された画面を画面表示装置に表示する。マルチ画面の場合は、画面表示部５５は、画面作成部５４により構成されたマルチ画面を画面表示装置４０に表示させる。
【００２２】
昇降機監視装置５０の以上の動作により、異常発生時にその状況に応じた最適な画面を最初に表示するので、幾つかの画面を操作する手間を省くことができる。また、異常の発生場所や内容などを直感的に判り易くすることができる。
【００２３】
図６は、異常が発生した場合に最初に表示する画面（異常の内容により異なる）の上に「異常発生一覧図」の画面を重ねて表示する場合のー例を示す図である。「異常発生一覧図」は、図６に示すように、例えば図３における発生箇所１１〜種類１３の項目からなるテーブルである。例えば最初に表示する画面としてシステム構成図を表示するような異常が発生した場合には、システム構成図をメイン画面として表示するが、その上に、「異常発生の一覧図」を表示する。これにより、より明確に異常である事を知らせる事が可能となる。この場合、画面データ記憶部５２は、「異常発生一覧図」の画面の画面データを記憶している。画面作成部５４は、異常発生一覧図の画面の画面データを画面データ記憶部５２から取り出す。画面表示部５５は、表示するべきシステム構成図（選択画面データの画面）を画面表示装置４０に表示するとともに、画面作成部５４により取り出された異常発生一覧図の画面データの画面をシステム構成図の画面の上に重ねて表示する。なお、この異常発生一覧図を閉じると最初に表示するべき画面が現れる。これにより、異常発生時に、システム（ビル）全体の昇降機のうち、どこで異常が発生したかといった全体像を最初に把握でき、その後の対応が容易になる。
【００２４】
また、図７は、図５のステップ１０５のＹＥＳに進んだ場合に表示されるマルチ画面の一例を示す図である。なお、この例では、横に並列に表示しているが、デフォルト表示の一例であって、画面によって縦に並べても良い。また、表示後に拡大縮小を行うなどして、ずらして表示しても良い。このように異常発生時において、最初に表示される最適な画面をマルチ画面とすることで１画面では状況を把握し難い場合にも、異常場所の特定や、原因の特定をしやすくなる。
【００２５】
以上の実施の形態では、
昇降機の状態や周辺機器との通信状態を管理するシステム状態管理部と、
昇降機の状態を表示する各種画面データを記憶している画面データ記憶部と、
昇降機の状態に併せてどの画面を表示するかを定義したステムパラメータ記憶部と、
異常発生の機器、発生箇所、種類を判別し、その状態に合わせてシステムパラメータ記憶部から必要な画面が何かを判断し、画面データ記憶部から異常発生時に最初に表示すべき最適な画面データを取り出す画面作成部と、
画面表示装置に作成した画面を出力する画面表示部と
を備えた昇降機監視装置を説明した。
【図面の簡単な説明】
【００２６】
【図１】実施の形態１における昇降機監視装置５０のハードウェア資源の例を示す図。
【図２】実施の形態１における監視システムのブロック図。
【図３】実施の形態１におけるシステムパラメータ。
【図４】実施の形態１における処理定義。
【図５】実施の形態１における画面作成部５４の動作のフローチャート。
【図６】実施の形態１における異常発生一覧図の表示を示す図。
【図７】実施の形態１におけるマルチ画面の表示を説明する図。
【符号の説明】
【００２７】
１０  昇降機、２０  昇降機制御装置、３０  データ変換装置、４０  画面表示装置、５０  昇降機監視装置、５１  システム状態管理部、５２  画面データ記憶部、５３  システムパラメータ記憶部、５４  画面作成部、５５  画面表示部。
【図１】
2009274795.tif 000003
【図２】
2009274795.tif 000004
【図３】
2009274795.tif 000005
【図４】
2009274795.tif 000006
【図５】
2009274795.tif 000007
【図６】
2009274795.tif 000008
【図７】
2009274795.tif 000009